(57)【要約】【課題】  すべてのユーザにとって見易いように表示画面に画像を表示することができる表示システムおよび表示プログラムを提供する。【解決手段】  表示画面１１１を有する表示システム１の制御部１３を、表示すべき画像の上下方向が基準方向に一致するように画像を表示させる第１画像表示制御部１３１、表示画面１１１の第１，第３，または第４の辺部に対するタッチ操作が行われたときに、第１画像表示制御部１３１による画像を消去する画像消去制御部１３２、画像が消去されたときに、表示すべき画像の上下方向が基準方向に一致するように、第２の辺部側に画像を表示させるとともに、表示すべき画像の上下方向がタッチ操作の行われた辺部に平行な辺部からタッチ操作の行われた辺部へ向かう方向に一致するように、タッチ操作の行われた辺部側に画像を表示させる第２画像表示制御部１３３として機能させる。【選択図】      図２
2013225231.tif 000002
【特許請求の範囲】
【請求項１】
矩形状の表示画面を有する表示部と、
前記表示画面に対するタッチ操作を検出するタッチパネル部と、
前記表示部を制御する制御部であって、
画像データに基づいて前記表示画面に画像を表示させる第１画像表示制御部であって、
前記表示画面の第１の辺部からその第１の辺部に平行な第２の辺部へ向かう方向である基準方向に、表示すべき画像の上部分から下部分へ向かう方向が一致するように、前記表示画面に画像を表示させる第１画像表示制御部と、
前記第１画像表示制御部によって前記表示画面に画像が表示されている場合において、前記表示画面の第１の辺部、第３の辺部、または第４の辺部のうちのいずれか１つに対するタッチ操作が前記タッチパネル部によって検出されたときに、前記第１画像表示制御部によって表示されている画像を消去させる画像消去制御部と、
前記画像消去制御部によって画像が消去されたときに、前記画像データに基づいて前記表示画面に画像を複数表示させる第２画像表示制御部であって、
前記基準方向に、表示すべき画像の上部分から下部分へ向かう方向が一致するように、かつ、前記表示画面の中心を通る仮想的な直線であって、前記第１の辺部に平行に延びる仮想的な直線よりも前記第２の辺部側に、画像を表示させるとともに、
前記タッチパネル部によって検出されたタッチ操作が行われた辺部に平行な辺部から前記タッチパネル部によって検出されたタッチ操作が行われた辺部へ向かう方向に、表示すべき画像の上部分から下部分へ向かう方向が一致するように、かつ、前記表示画面の中心を通る仮想的な直線であって、前記タッチパネル部によって検出されたタッチ操作が行われた辺部に平行に延びる仮想的な直線よりも前記タッチパネル部によって検出されたタッチ操作が行われた辺部側に、画像を表示させる第２画像表示制御部とを含む、制御部とを備えることを特徴とする表示システム。
【請求項２】
前記第２画像表示制御部は、前記表示画面のいずれかの辺部側に画像を表示させている場合において、画像が表示されていない側の辺部に対するタッチ操作が前記タッチパネル部によって検出されたときに、前記タッチパネル部によって検出されたタッチ操作が行われた辺部に平行な辺部から前記タッチパネル部によって検出されたタッチ操作が行われた辺部へ向かう方向に、表示すべき画像の上部分から下部分へ向かう方向が一致するように、かつ、前記表示画面の中心を通る仮想的な直線であって、前記タッチパネル部によって検出されたタッチ操作が行われた辺部に平行に延びる仮想的な直線よりも前記タッチパネル部によって検出されたタッチ操作が行われた辺部側に、画像を追加表示させることを特徴とする請求項１に記載の表示システム。
【請求項３】
前記第２画像表示制御部は、前記表示画面のいずれかの辺部側に画像を表示させている場合において、画像が表示されている側の辺部に対するタッチ操作が前記タッチパネル部によって検出されたときに、前記タッチパネル部によって検出されたタッチ操作が行われた辺部側に表示されている画像を消去させることを特徴とする請求項１または２に記載の表示システム。
【請求項４】
タッチパネル部および表示部を備えるコンピュータを、請求項１〜３のいずれか１つに記載の表示システムとして機能させることを特徴とする表示プログラム。
【発明の詳細な説明】
【技術分野】
【０００１】
本発明は、表示システムおよび表示プログラムに関する。
【背景技術】
【０００２】
タッチパネルとディスプレイとを含む表示システムの分野では、ディスプレイの表示画面を水平かつ鉛直方向上向きになるように設置することで、そのディスプレイを会議机として使用することが提案されている。このように使用する場合、たとえば、ディスプレイの表示画面には会議資料が表示され、ディスプレイの周囲に会議参加者が着席することになる。したがって、すべての会議参加者にとって見易いように、表示画面に会議資料を表示させる必要がある。
【０００３】
特許文献１には、会議机として使用される矩形状のディスプレイの周囲に位置センサを設け、その位置センサによって、会議参加者の位置および数を検出することが記載されている。特許文献１に記載の表示システムは、位置センサによって検出された会議参加者の位置および数に応じて、表示画面を複数のサブエリアに分割し、各会議参加者の見る方向に合わせて、各サブエリアに会議資料を表示させている。
【先行技術文献】
【特許文献】
【０００４】
【特許文献１】特開２００８−２６９０４４号公報
【発明の概要】
【発明が解決しようとする課題】
【０００５】
特許文献１に記載の表示システムでは、会議参加者の数だけ表示画面が分割され、会議資料が表示される。したがって、２人以上の会議参加者の見る方向が同じ場合、より詳細には、２人以上の会議参加者が、矩形状のディスプレイの一辺側に着席し、その一辺からその一辺に平行な他辺へ向かう方向を見る方向とする場合、その２人以上の会議参加者に応じて、表示画面が２以上のサブエリアに分割されて会議資料が表示されることになる。しかしながら、表示画面の分割数が増えると表示される会議資料は小さくなってしまうので、２人以上の会議参加者の見る方向が同じである場合、その方向に合わせて１つの会議資料を大きく表示した方がその２人以上の会議参加者にとって見易いものとなる。また、特許文献１に記載の表示システムでは、ディスプレイの周囲に位置センサを設ける必要があるので、製造コストが高くなる。
【０００６】
本発明は、このような課題を解決するためのものであり、すべてのユーザにとって見易いように表示画面に画像を表示することができる表示システムおよび表示プログラムを提供することを目的とする。
【課題を解決するための手段】
【０００７】
本発明は、矩形状の表示画面を有する表示部と、
前記表示画面に対するタッチ操作を検出するタッチパネル部と、
前記表示部を制御する制御部であって、
画像データに基づいて前記表示画面に画像を表示させる第１画像表示制御部であって、
前記表示画面の第１の辺部からその第１の辺部に平行な第２の辺部へ向かう方向である基準方向に、表示すべき画像の上部分から下部分へ向かう方向が一致するように、前記表示画面に画像を表示させる第１画像表示制御部と、
前記第１画像表示制御部によって前記表示画面に画像が表示されている場合において、前記表示画面の第１の辺部、第３の辺部、または第４の辺部のうちのいずれか１つに対するタッチ操作が前記タッチパネル部によって検出されたときに、前記第１画像表示制御部によって表示されている画像を消去させる画像消去制御部と、
前記画像消去制御部によって画像が消去されたときに、前記画像データに基づいて前記表示画面に画像を複数表示させる第２画像表示制御部であって、
前記基準方向に、表示すべき画像の上部分から下部分へ向かう方向が一致するように、かつ、前記表示画面の中心を通る仮想的な直線であって、前記第１の辺部に平行に延びる仮想的な直線よりも前記第２の辺部側に、画像を表示させるとともに、
前記タッチパネル部によって検出されたタッチ操作が行われた辺部に平行な辺部から前記タッチパネル部によって検出されたタッチ操作が行われた辺部へ向かう方向に、表示すべき画像の上部分から下部分へ向かう方向が一致するように、かつ、前記表示画面の中心を通る仮想的な直線であって、前記タッチパネル部によって検出されたタッチ操作が行われた辺部に平行に延びる仮想的な直線よりも前記タッチパネル部によって検出されたタッチ操作が行われた辺部側に、画像を表示させる第２画像表示制御部とを含む、制御部とを備えることを特徴とする表示システムである。
【０００８】
また本発明は、前記第２画像表示制御部は、前記表示画面のいずれかの辺部側に画像を表示させている場合において、画像が表示されていない側の辺部に対するタッチ操作が前記タッチパネル部によって検出されたときに、前記タッチパネル部によって検出されたタッチ操作が行われた辺部に平行な辺部から前記タッチパネル部によって検出されたタッチ操作が行われた辺部へ向かう方向に、表示すべき画像の上部分から下部分へ向かう方向が一致するように、かつ、前記表示画面の中心を通る仮想的な直線であって、前記タッチパネル部によって検出されたタッチ操作が行われた辺部に平行に延びる仮想的な直線よりも前記タッチパネル部によって検出されたタッチ操作が行われた辺部側に、画像を追加表示させることを特徴とする。
【０００９】
また本発明は、前記第２画像表示制御部は、前記表示画面のいずれかの辺部側に画像を表示させている場合において、画像が表示されている側の辺部に対するタッチ操作が前記タッチパネル部によって検出されたときに、前記タッチパネル部によって検出されたタッチ操作が行われた辺部側に表示されている画像を消去させることを特徴とする。
【００１０】
また本発明は、タッチパネル部および表示部を備えるコンピュータを、前記表示システムとして機能させることを特徴とする表示プログラムである。
【発明の効果】
【００１１】
本発明によれば、タッチ操作に基づく第２画像表示制御部の制御によって、第２の辺部側および第２の辺部以外のいずれか１つの辺部側にそれぞれ画像が表示されるので、第２の辺部側および第２の辺部以外のいずれか１つの辺部側にそれぞれユーザが着席する場合に、すべてのユーザにとって見易いように表示画面に画像を表示することができる。
【００１２】
また本発明によれば、タッチ操作に基づく第２画像表示制御部の制御によって、画像が表示されていない側の辺部側に画像を追加表示させることができるので、画像が表示されていない側の辺部側に新たに着席したユーザにとって見易いように表示画面に画像を表示することができる。
【００１３】
また本発明によれば、画像が表示されている側の辺部側に着席していたユーザが退席した場合に、タッチ操作に基づく第２画像表示制御部の制御によって、その辺部側に表示されていた画像を消去することができる。
【００１４】
また本発明によれば、タッチパネル部および表示部を備えるコンピュータを、前記表示システムとして機能させることができる。
【図面の簡単な説明】
【００１５】
【図１】表示システム１の外観を示す模式図である。
【図２】表示システム１の構成を示すブロック図である。
【図３】辺部Ｅ１〜辺部Ｅ４について説明するための図である。
【図４】第１の分割表示機能について説明するための図である。
【図５】第２画像表示制御部１３３による追加表示について説明するための図である。
【図６】第２画像表示制御部１３３による基準方向の設定について説明するための図である。
【図７Ａ】第２の分割表示機能について説明するための図である。
【図７Ｂ】第２の分割表示機能について説明するための図である。
【図８】第１画像表示制御部１３１によって画像が表示されている場合の表示システム１の動作を示すフローチャートである。
【図９】第２画像表示制御部１３３の第１の分割表示機能のみによって画像が表示されている場合の表示システム１の動作を示すフローチャートである。
【図１０】第２画像表示制御部１３３の第２の分割表示機能のみによって画像が表示されている場合の表示システム１の動作を示すフローチャートである。
【図１１】第２画像表示制御部１３３の第１の分割表示機能および第２の分割表示機能によって画像が表示されている場合の表示システム１の動作を示すフローチャートである。
【発明を実施するための形態】
【００１６】
以下に、本発明の実施形態の１つである表示システム１について説明する。図１は、表示システム１の外観を示す模式図である。表示システム１は、たとえば、縦３００ｃｍ、横４５０ｃｍ程度の矩形状の表示画面１１１を有する。表示システム１は、表示画面１１１が水平かつ鉛直方向上向きとなるように設けられる電子会議机であり、表示画面１１１に表示されるアイコンにタッチ操作が行われたときにそのアイコンに対応するウィンドウを表示画面１１１に表示したり、描画可能な領域にタッチ操作が行われたときにそのタッチ操作に対応する図形を表示画面１１１に表示したりする。
【００１７】
ここで、タッチ操作とは、表示画面１１１への接触が開始してから接触が終了するまでの、表示画面１１１に対する一連の操作である。たとえば、ユーザが、手指やタッチペンなどで表示画面１１１に接触し、接触箇所を動かさずに、手指やタッチペンなどを表示画面１１１から離すという一連の操作を行うとき、この操作は表示画面１１１に対する点状の操作である。また、たとえば、ユーザが、手指やタッチペンなどで表示画面１１１に接触し、接触箇所を移動させ、手指やタッチペンなどを表示画面１１１から離すという一連の操作を行うとき、この操作は表示画面１１１に対するスライド操作である。
【００１８】
上記のような電子会議机として用いることができる公知のシステムとしては、従来公知のＰＣと、タッチパネル一体型ディスプレイＰＮ−Ｌ６００Ｂ（シャープ株式会社製）などの表示装置とから構成されるシステムを挙げることができる。本実施形態としては、このようなシステムに、後述する各部１３１〜１３３の機能を発揮させるためのプログラムである表示プログラムを記憶させたものを用いることができる。なお、本発明の他の実施形態としては、上記表示装置に、後述する各部１３１〜１３３の機能をそれぞれ発揮するＩＣ（Integrated Circuit）チップを設けてもよい。
【００１９】
図２は、表示システム１の構成を示すブロック図である。表示システム１は、図１および図２に示す表示部１１およびタッチパネル部１２と、図２に示す制御部１３とを備える。
【００２０】
表示部１１は、たとえば、液晶ディスプレイ、ＥＬ（ElectroLuminescence）ディスプレイ、プラズマディスプレイなどである。表示部１１は、制御部１３によって制御されることで、矩形状の表示画面１１１に画像を表示する。
【００２１】
タッチパネル部１２は、投影型静電容量方式タッチパネル、抵抗膜方式タッチパネル、赤外線遮断検出方式タッチパネルなどから構成される。タッチパネル部１２は、表示画面１１１に対するタッチ操作を検出し、そのタッチ操作を行った対象の位置、すなわちタッチ位置に関する情報を取得し、制御部１３へ出力する。
【００２２】
制御部１３は、たとえばＰＣや表示部１１内に設けられる制御装置であり、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とを含む。制御部１３の記憶回路には、本発明に係る表示プログラムが記憶され、これによって、制御部１３は、第１画像表示制御部１３１、画像消去制御部１３２、および第２画像表示制御部１３３の機能を発揮する。
【００２３】
第１画像表示制御部１３１は、任意の画像データに基づいて、表示画面１１１に画像を表示させる。より具体的には、第１画像表示制御部１３１は、表示画面１１１の第１の辺部からその第１の辺部に平行な第２の辺部へ向かう方向である基準方向に、画像の上部分から下部分へ向かう方向が一致するように、任意の画像データに基づいて表示画面１１１に画像を表示させる。本実施形態では、第１画像表示制御部１３１は、任意の画像データに基づいて、アスペクト比を変えない範囲内の最大の大きさで、表示画面１１１の中央に画像を表示させる。
【００２４】
辺部とは、矩形状の表示画面１１１の各辺の周囲の４つの領域である。また、辺部同士が平行とは、辺部に含まれる辺同士が平行であることをいう。本実施形態における辺部Ｅ１〜辺部Ｅ４について、図３を用いて説明する。辺部Ｅ１は、矩形状の表示画面１１１の外周の一部を構成する辺ｅ１と、表示画面１１１中の、辺ｅ１に平行かつ辺ｅ１よりも短い仮想的な線分ｆ１とを２辺とし、辺ｅ１の両端の角度が４５°となる等脚台形状の領域である。辺ｅ１と線分ｆ１との間の距離ｄは、たとえば、表示画面１１１の幅方向長さの１％〜１０％である。辺部Ｅ２は、矩形状の表示画面１１１の外周の一部を構成する、辺ｅ１に平行な辺ｅ２と、表示画面１１１中の、辺ｅ２に平行かつ辺ｅ２よりも短い仮想的な線分ｆ２とを２辺とし、辺ｅ２の両端の角度が４５°となる等脚台形状の領域である。辺ｅ２と線分ｆ２との間の距離ｄは、たとえば、表示画面１１１の幅方向長さの１％〜１０％である。表示システム１の初期設定では、第１の辺部は辺部Ｅ１であり、第２の辺部は辺部Ｅ２である。したがって、第１の辺部Ｅ１から第２の辺部Ｅ２へ向かう、辺ｅ１に垂直な方向である基準方向は、図３において矢符Ｔ０で表される。なお、他の図においても、矢符Ｔ０で表される方向は、初期設定での基準方向である。
【００２５】
辺部Ｅ３は、矩形状の表示画面１１１の外周の一部を構成する、辺ｅ１に垂直な辺ｅ３と、表示画面１１１中の、辺ｅ３に平行かつ辺ｅ３よりも短い仮想的な線分ｆ３とを２辺とし、辺ｅ３の両端の角度が４５°となる等脚台形状の領域である。辺ｅ３と線分ｆ３との間の距離ｄは、たとえば、表示画面１１１の幅方向長さの１％〜１０％である。辺部Ｅ４は、矩形状の表示画面１１１の外周の一部を構成する、辺ｅ１に垂直な辺ｅ４と、表示画面１１１中の、辺ｅ４に平行かつ辺ｅ４よりも短い仮想的な線分ｆ４とを２辺とし、辺ｅ４の両端の角度が４５°となる等脚台形状の領域である。辺ｅ４と線分ｆ４との間の距離ｄは、たとえば、表示画面１１１の幅方向長さの１％〜１０％である。表示システム１の初期設定では、第３の辺部は辺部Ｅ３であり、第４の辺部は辺部Ｅ４である。
【００２６】
画像消去制御部１３２は、第１画像表示制御部１３１によって表示画面１１１に画像が表示されている場合において、表示画面１１１の第１の辺部、第３の辺部、または第４の辺部のうちのいずれか１つに対するタッチ操作がタッチパネル部１２によって検出されたときに、第１画像表示制御部１３１によって表示されている画像を消去させる。
【００２７】
第２画像表示制御部１３３は、画像消去制御部１３２によって画像が消去されたときに、消去の前に第１画像表示制御部１３１が用いていた画像データに基づいて、表示画面１１１に画像を複数表示させる。より具体的には、第２画像表示制御部１３３は、基準方向に、画像の上部分から下部分へ向かう方向が一致するように、かつ、表示画面１１１の中心を通る仮想的な直線であって、第１の辺部に平行に延びる仮想的な直線よりも第２の辺部側に、画像を表示させるとともに、この画像に重ならないように、第１の辺部、第３の辺部、および第４の辺部のうち、タッチパネル部１２によって検出されたタッチ操作が行われた辺部に平行な辺部からタッチパネル部１２によって検出されたタッチ操作が行われた辺部へ向かう方向に、画像の上部分から下部分へ向かう方向が一致するように、かつ、表示画面１１１の中心を通る仮想的な直線であって、タッチパネル部１２によって検出されたタッチ操作が行われた辺部に平行に延びる仮想的な直線よりもタッチパネル部１２によって検出されたタッチ操作が行われた辺部側に、画像を表示させる。このような第２画像表示制御部１３３の機能を、以下において「第１の分割表示機能」と称する。
【００２８】
第１の分割表示機能について、図４を用いて、より詳細に説明する。たとえば、タッチ操作が行われる前に、図４（ａ）のように画像Ｇ１が表示されていたとする。図４（ａ）の状態において、第１の辺部Ｅ１に対するタッチ操作が行われた場合、画像消去制御部１３２によって画像Ｇ１は消去され、第２画像表示制御部１３３によって、図４（ｂ）に示すような画像Ｇ２および画像Ｇ３が表示される。画像Ｇ２は、基準方向Ｔ０に、画像Ｇ２の上部分から下部分へ向かう方向が一致するように表示されており、かつ、表示画面１１１の中心を通り、第１の辺部Ｅ１に平行に延びる仮想的な直線ｇ１よりも第２の辺部Ｅ２側に表示されている。また、画像Ｇ３は、タッチ操作が行われた第１の辺部Ｅ１に平行な第２の辺部Ｅ２からタッチ操作が行われた第１の辺部Ｅ１へ向かう方向に、画像Ｇ３の上部分から下部分へ向かう方向が一致するように表示されており、かつ、表示画面１１１の中心を通り、タッチ操作が行われた第１の辺部Ｅ１に平行に延びる仮想的な直線ｇ１よりもタッチ操作が行われた第１の辺部Ｅ１側に表示されている。
【００２９】
図４（ａ）の状態において、第３の辺部Ｅ３に対するタッチ操作が行われた場合、画像消去制御部１３２によって画像Ｇ１は消去され、第２画像表示制御部１３３によって、図４（ｃ）に示すような画像Ｇ４および画像Ｇ５が表示される。画像Ｇ４は、基準方向Ｔ０に、画像Ｇ４の上部分から下部分へ向かう方向が一致するように表示されており、かつ、表示画面１１１の中心を通り、第１の辺部Ｅ１に平行に延びる仮想的な直線ｇ２よりも第２の辺部Ｅ２側に表示されている。また、画像Ｇ５は、タッチ操作が行われた第３の辺部Ｅ３に平行な第４の辺部Ｅ４からタッチ操作が行われた第３の辺部Ｅ３へ向かう方向に、画像Ｇ５の上部分から下部分へ向かう方向が一致するように表示されており、かつ、表示画面１１１の中心を通り、タッチ操作が行われた第３の辺部Ｅ３に平行に延びる仮想的な直線ｇ３よりもタッチ操作が行われた第３の辺部Ｅ３側に表示されている。
【００３０】
図４（ａ）の状態において、第４の辺部Ｅ４に対するタッチ操作が行われた場合、画像消去制御部１３２によって画像Ｇ１は消去され、第２画像表示制御部１３３によって、図４（ｄ）に示すような画像Ｇ６および画像Ｇ７が表示される。画像Ｇ６は、基準方向Ｔ０に、画像Ｇ６の上部分から下部分へ向かう方向が一致するように表示されており、かつ、表示画面１１１の中心を通り、第１の辺部Ｅ１に平行に延びる仮想的な直線ｇ４よりも第２の辺部Ｅ２側に表示されている。また、画像Ｇ７は、タッチ操作が行われた第４の辺部Ｅ４に平行な第３の辺部Ｅ３からタッチ操作が行われた第４の辺部Ｅ４へ向かう方向に、画像Ｇ７の上部分から下部分へ向かう方向が一致するように表示されており、かつ、表示画面１１１の中心を通り、タッチ操作が行われた第４の辺部Ｅ４に平行に延びる仮想的な直線ｇ５よりもタッチ操作が行われた第４の辺部Ｅ４側に表示されている。
【００３１】
図４に示すように、第２画像表示制御部１３３は、第１の分割表示機能によって画像を表示させるとき、各画像とともに、各辺部の外周を示す線を表示させる。この線が表示されることにより、辺部を目視で確認することが可能になる。
【００３２】
第２画像表示制御部１３３によって表示画面１１１に表示される各画像は、第１画像表示制御部１３１によって表示画面１１１に表示される画像と同一のアスペクト比であり、各画像の大きさは同一である。また、各画像は、各画像が表示される側の辺部に含まれる辺に沿って表示され、かつ、この辺に平行な方向において、この辺の中心と、画像の中心とが一致するように表示される。たとえば、図４（ｃ）の画像Ｇ５は、画像Ｇ５が表示される側の辺部Ｅ３に含まれる辺ｅ３に沿って表示され、かつ、この辺ｅ３に平行な方向において、この辺ｅ３の中心と、画像Ｇ５の中心とが一致するように表示されている。
【００３３】
上記のような条件を満たす範囲内で最大の大きさとなるように、第２画像表示制御部１３３は、各画像を表示させる。したがって、図４（ｂ）および図４（ｃ）に示すように、タッチ操作が行われた辺部によって、第２画像表示制御部１３３により表示される画像の大きさが異なる場合がある。
【００３４】
第２画像表示制御部１３３は、辺部に対するタッチ操作が行われたときに、第１の分割表示機能を発揮するものであり、そのタッチ操作はどのようなものであってもよい。ただし、表示画面１１１に軽く接触しただけで第１の分割表示機能が発揮されると不便であるので、特定のタッチ操作が行われたときにのみ、第１の分割表示機能が発揮されるようにしてもよい。たとえば、いずれかの辺部において、同じ箇所を数秒間タッチし続けるタッチ操作（長押しタッチ操作）が行われたときに、第１の分割表示機能が発揮されるようにしてもよい。また、たとえば、いずれかの辺部において最初にタッチ操作が行われた場合に、その辺部に平行な辺部からそのタッチ操作が行われた辺部へ向かう方向を上から下へ向かう方向として、そのタッチ操作が行われた辺部中に「表示追加」などの文字を表示させ、表示された文字に対して２回目のタッチ操作が行われたときに、第１の分割表示機能が発揮されるようにしてもよい。
【００３５】
第２画像表示制御部１３３は、第１の分割表示機能として、表示画面１１１中に、画像を追加表示させることができる。より具体的には、第２画像表示制御部１３３は、表示画面１１１に画像を表示させている場合において、画像が表示されていない側の辺部に対するタッチ操作がタッチパネル部１２によって検出されたときに、タッチパネル部１２によって検出されたタッチ操作が行われた辺部に平行な辺部からタッチパネル部１２によって検出されたタッチ操作が行われた辺部へ向かう方向に、画像の上部分から下部分へ向かう方向が一致するように、かつ、表示画面１１１の中心を通る仮想的な直線であって、タッチパネル部１２によって検出されたタッチ操作が行われた辺部に平行に延びる仮想的な直線よりもタッチパネル部１２によって検出されたタッチ操作が行われた辺部側に、画像を追加表示させることができる。
【００３６】
第２画像表示制御部１３３による追加表示について、図５を用いて、より詳細に説明する。たとえば、タッチ操作が行われる前に、図４（ｃ）のように画像Ｇ４，Ｇ５が表示されていたとする。図４（ｃ）の状態において、画像が表示されていない側の辺部である第４の辺部Ｅ４に対するタッチ操作が行われた場合、第２画像表示制御部１３３によって、図５（ａ）に示すような画像Ｇ８、画像Ｇ９、および画像Ｇ１０が表示される。画像Ｇ８および画像Ｇ９は、画像Ｇ４および画像Ｇ５と同一の画像である。画像Ｇ１０は、タッチ操作が行われた第４の辺部Ｅ４に平行な第３の辺部Ｅ３からタッチ操作が行われた第４の辺部Ｅ４へ向かう方向に、画像Ｇ１０の上部分から下部分へ向かう方向が一致するように表示されており、かつ、表示画面１１１の中心を通り、タッチ操作が行われた第４の辺部Ｅ４に平行に延びる仮想的な直線ｇ６よりもタッチ操作が行われた第４の辺部Ｅ４側に表示されている。
【００３７】
また、たとえば、タッチ操作が行われる前に、図５（ａ）のように画像Ｇ８〜Ｇ１０が表示されていたとする。図５（ａ）の状態において、画像が表示されていない側の辺部である第１の辺部Ｅ１に対するタッチ操作が行われた場合、第２画像表示制御部１３３によって、図５（ｂ）に示すような画像Ｇ１１、画像Ｇ１２、画像Ｇ１３、および画像Ｇ１４が表示される。画像Ｇ１１、画像Ｇ１２、および画像Ｇ１３は、画像Ｇ８、画像Ｇ９、および画像Ｇ１０と同一の画像である。画像Ｇ１４は、タッチ操作が行われた第１の辺部Ｅ１に平行な第２の辺部Ｅ２からタッチ操作が行われた第１の辺部Ｅ１へ向かう方向に、画像Ｇ１４の上部分から下部分へ向かう方向が一致するように表示されており、かつ、表示画面１１１の中心を通り、タッチ操作が行われた第１の辺部Ｅ１に平行に延びる仮想的な直線ｇ７よりもタッチ操作が行われた第１の辺部Ｅ１側に表示されている。
【００３８】
なお、第２画像表示制御部１３３は、追加表示の際、表示中の各画像の大きさを変更する必要がある場合には、一旦すべての画像を消去した後、各画像を表示させる。たとえば、タッチ操作が行われる前に、図４（ｂ）のように画像Ｇ２，Ｇ３が表示されていたとする。図４（ｂ）の状態において、画像が表示されていない側の辺部である第３の辺部Ｅ３に対するタッチ操作が行われた場合、第２画像表示制御部１３３によって、図５（ｃ）に示すような画像Ｇ１５、画像Ｇ１６、および画像Ｇ１７が表示される。画像Ｇ１７は、タッチ操作が行われた第３の辺部Ｅ３に平行な第４の辺部Ｅ４からタッチ操作が行われた第３の辺部Ｅ３へ向かう方向に、画像Ｇ１７の上部分から下部分へ向かう方向が一致するように表示されており、かつ、表示画面１１１の中心を通り、タッチ操作が行われた第３の辺部Ｅ３に平行に延びる仮想的な直線ｇ８よりもタッチ操作が行われた第３の辺部Ｅ３側に表示されている。画像Ｇ１５および画像Ｇ１６は、それぞれ、画像Ｇ２および画像Ｇ３に対応し、画像Ｇ２および画像Ｇ３よりも小さい画像であり、画像Ｇ２および画像Ｇ３の消去後に表示される。
【００３９】
第２画像表示制御部１３３は、表示画面１１１に画像を表示させている場合において、画像が表示されている側の辺部に対するタッチ操作がタッチパネル部１２によって検出されたときに、タッチパネル部１２によって検出されたタッチ操作が行われた辺部側に表示されている画像を消去させる。より具体的には、第２画像表示制御部１３３は、第１の分割表示機能によって表示画面１１１に画像を表示させている場合において、第１の分割表示機能によって画像が表示されている側の辺部のうち、その画像が表示されている部分と重ならない部分に対するタッチ操作がタッチパネル部１２によって検出されたときに、タッチパネル部１２によって検出されたタッチ操作が行われた辺部側に表示されている画像を消去させる。
【００４０】
第２画像表示制御部１３３による画像の消去について、図４および図５を用いて、より詳細に説明する。たとえば、タッチ操作が行われる前に、図５（ａ）のように画像Ｇ８〜Ｇ１０が表示されていたとする。図５（ａ）の状態において、画像が表示されている側の辺部である第３の辺部Ｅ３のうち、画像Ｇ９と重ならない部分に対するタッチ操作が行われた場合、第２画像表示制御部１３３によって、図４（ｄ）に示す状態となる。図４（ｄ）では、画像Ｇ９が消去され、画像Ｇ６および画像Ｇ７が表示されている。画像Ｇ６および画像Ｇ７は、画像Ｇ８および画像Ｇ１０と同一の画像である。
【００４１】
また、たとえば、タッチ操作が行われる前に、図５（ｂ）のように画像Ｇ１１〜Ｇ１４が表示されていたとする。図５（ｂ）の状態において、画像が表示されている側の辺部である第４の辺部Ｅ４のうち、画像Ｇ１３と重ならない部分に対するタッチ操作が行われた場合、第２画像表示制御部１３３によって、図５（ｃ）に示す状態となる。図５（ｃ）では、画像Ｇ１３が消去され、画像Ｇ１５、画像Ｇ１６、および画像Ｇ１７が表示されている。画像Ｇ１５、画像Ｇ１６、および画像Ｇ１７は、画像Ｇ１１、画像Ｇ１４、および画像Ｇ１２と同一の画像である。
【００４２】
なお、第２画像表示制御部１３３は、画像の消去の際、表示中の各画像の大きさを変更する必要がある場合には、一旦すべての画像を消去した後、各画像を表示させる。たとえば、タッチ操作が行われる前に、図５（ｃ）のように画像Ｇ１５〜Ｇ１７が表示されていたとする。図５（ｃ）の状態において、画像が表示されている側の辺部である第３の辺部Ｅ３に対するタッチ操作が行われた場合、第２画像表示制御部１３３によって、図４（ｂ）に示す状態となる。図４（ｂ）では、画像Ｇ１７が消去され、画像Ｇ２および画像Ｇ３が表示されている。画像Ｇ２および画像Ｇ３は、それぞれ、画像Ｇ１５および画像Ｇ１６に対応し、画像Ｇ１５および画像Ｇ１６よりも大きい画像であり、画像Ｇ１５および画像Ｇ１６の消去後に表示される。
【００４３】
第２画像表示制御部１３３は、第１の分割表示機能によって表示中の画像が２つであり、かつ、後述する第２の分割表示機能によって画像が表示されていない状態において、第１の分割表示機能によって画像が表示されている側の辺部に対するタッチ操作によって上記のように画像を消去する場合、すべての画像を消去させ、第１画像表示制御部１３１に画像を表示させる。より具体的には、第２画像表示制御部１３３は、第１の分割表示機能によって表示中の画像が２つであり、かつ、後述する第２の分割表示機能によって画像が表示されていない状態において、第１の分割表示機能によって画像が表示されている側の辺部に対するタッチ操作によって上記のように画像を消去する場合、第１の分割表示機能によって画像が表示されている側の２つの辺部のうち、タッチ操作が行われなかった方の辺部に平行な辺部から、第１の分割表示機能によって画像が表示されている側の２つの辺部のうち、タッチ操作が行われなかった方の辺部へ向かう方向を基準方向に設定し、すべての画像を消去させ、第１画像表示制御部１３１に画像を表示させる。
【００４４】
第２画像表示制御部１３３による基準方向の設定について、図４および図６を用いて、より詳細に説明する。たとえば、タッチ操作が行われる前に、図４（ｂ）のように画像Ｇ２，Ｇ３が表示されていたとする。図４（ｂ）の状態において、画像が表示されている側の辺部である第２の辺部Ｅ２のうち、画像Ｇ２と重ならない部分に対するタッチ操作が行われた場合、第２画像表示制御部１３３によって、図６（ａ）に示す矢符Ｔ１の方向が基準方向に設定される。図６（ａ）では、画像Ｇ２および画像Ｇ３が消去され、画像Ｇ１８が表示されている。画像Ｇ１８は、基準方向Ｔ１に基づいて、第１画像表示制御部１３１によって表示された画像である。
【００４５】
また、たとえば、タッチ操作が行われる前に、図４（ｃ）のように画像Ｇ４，Ｇ５が表示されていたとする。図４（ｃ）の状態において、画像が表示されている側の辺部である第２の辺部Ｅ２のうち、画像Ｇ４と重ならない部分に対するタッチ操作が行われた場合、第２画像表示制御部１３３によって、図６（ｂ）に示す矢符Ｔ２の方向が基準方向に設定される。図６（ｂ）では、画像Ｇ４および画像Ｇ５が消去され、画像Ｇ１９が表示されている。画像Ｇ１９は、基準方向Ｔ２に基づいて、第１画像表示制御部１３１によって表示された画像である。
【００４６】
なお、図６（ａ）や図６（ｂ）の場合のように、基準方向が変更される場合には、第２画像表示制御部１３３は、タッチ操作が行われた辺部に、予め警告文を表示させてもよい。そして、警告文に対してタッチ操作が行われたときに、基準方向の変更および画像の消去を行うようにしてもよい。
【００４７】
第２画像表示制御部１３３は、画像が表示されている側の辺部に対するタッチ操作が行われたときに、画像を消去するものであり、そのタッチ操作はどのようなものであってもよい。ただし、表示画面１１１に軽く接触しただけで画像が消去されると不便であるので、特定のタッチ操作が行われたときにのみ、画像が消去されるようにしてもよい。たとえば、画像が表示されている側の辺部のうち、画像と重ならない部分において、同じ箇所を数秒間タッチし続けるタッチ操作（長押しタッチ操作）が行われたときに、画像が消去されるようにしてもよい。また、たとえば、画像が表示されている側の辺部のうち、画像と重ならない部分において最初にタッチ操作が行われた場合に、その辺部に平行な辺部からそのタッチ操作が行われた辺部へ向かう方向を上から下へ向かう方向として、そのタッチ操作が行われた辺部のうちの画像と重ならない部分中に「表示消去」などの文字を表示させ、表示された文字に対して２回目のタッチ操作が行われたときに、画像が消去されるようにしてもよい。
【００４８】
第２画像表示制御部１３３は、第１の分割表示機能によって画像が表示されている場合において、いずれかの画像上をスライド移動するタッチ操作（スライド操作）がタッチパネル部１２によって検出されたときに、第２の分割表示機能によって画像を表示させることができる。より具体的には、第２画像表示制御部１３３は、第１の分割表示機能によって画像が表示されている場合において、第１の分割表示機能によって表示されているいずれかの画像上のスライド操作がタッチパネル部１２によって検出されたときに、第２の分割表示機能として、まず、スライド操作が行われた画像を消去し、その画像が表示されていた矩形状の領域を、第２分割表示領域に設定する。次に、第２画像表示制御部１３３は、上記スライド操作の始点と終点とから、第２分割表示領域を２分割する仮想的な直線を設定し、その仮想的な直線によって２分割される第２分割表示領域のそれぞれに、画像を表示させる。
【００４９】
ここで、スライド操作の始点と終点とから設定される仮想的な直線とは、始点および終点を通る直線である。ただし、基準方向および基準方向に垂直な方向を座標軸とする２次元座標系において、始点および終点を通る直線といずれか一方の座標軸とがなす角度が、所定の角度未満、たとえば５°未満である場合には、その座標軸に平行かつ始点および終点を通る線分の中点を通る直線が仮想的な直線として設定される。
【００５０】
仮想的な直線によって２分割される第２分割表示領域の一方（または他方）に表示される画像は、その画像の上部分から下部分へ向かう方向が、第２分割表示領域側の辺部に平行な辺部から第２分割表示領域側の辺部に向かう方向に一致するように表示される。
【００５１】
仮想的な直線によって２分割される第２分割表示領域のそれぞれに表示される各画像の大きさは、仮想的な直線と、矩形状の第２分割表示領域の２つの対角線のうち、基準方向および基準方向に垂直な方向を座標軸とする２次元座標系においてその仮想的な直線とは傾斜方向が逆の対角線との交点から決定される。より具体的には、仮想的な直線によって２分割される第２分割表示領域の一方に表示される画像の大きさは、仮想的な直線と、矩形状の第２分割表示領域の２つの対角線のうち、基準方向および基準方向に垂直な方向を座標軸とする２次元座標系においてその仮想的な直線とは傾斜方向が逆の対角線との交点と、仮想的な直線によって２分割される第２分割表示領域の一方側に含まれる矩形状の第２分割表示領域の頂点のうち、前記傾斜方向が逆の対角線が通る頂点とを通る矩形（一方側内接矩形）内にアスペクト比を変えない範囲内で入ることができる最大の大きさである。また、仮想的な直線によって２分割される第２分割表示領域の他方に表示される画像の大きさは、仮想的な直線と、矩形状の第２分割表示領域の２つの対角線のうち、基準方向および基準方向に垂直な方向を座標軸とする２次元座標系においてその仮想的な直線とは傾斜方向が逆の対角線との交点と、仮想的な直線によって２分割される第２分割表示領域の他方側に含まれる矩形状の第２分割表示領域の頂点のうち、前記傾斜方向が逆の対角線が通る頂点とを通る矩形（他方側内接矩形）内にアスペクト比を変えない範囲内で入ることができる最大の大きさである。
【００５２】
仮想的な直線によって２分割される第２分割表示領域の一方（または他方）に表示される画像は、一方（または他方）側内接矩形の中心と、画像の中心とが一致するように表示される。
【００５３】
なお、仮想的な直線が、基準方向および基準方向に垂直な方向を座標軸とする２次元座標系の座標軸に平行に延びる場合、その仮想的な直線によって２分割される第２分割表示領域の一方に表示される画像の大きさは、仮想的な直線と、矩形状の第２分割表示領域の２つの対角線のうちのいずれか一方の対角線との交点と、仮想的な直線によって２分割される第２分割表示領域の一方側に含まれる矩形状の第２分割表示領域の頂点のうち、前記一方の対角線が通る頂点とを通る矩形（一方側矩形）内にアスペクト比を変えない範囲内で入ることができる最大の大きさである。また、仮想的な直線が、基準方向および基準方向に垂直な方向を座標軸とする２次元座標系の座標軸に平行に延びる場合、その仮想的な直線によって２分割される第２分割表示領域の他方に表示される画像の大きさは、仮想的な直線と、矩形状の第２分割表示領域の２つの対角線のうちのいずれか一方の対角線との交点と、仮想的な直線によって２分割される第２分割表示領域の他方側に含まれる矩形状の第２分割表示領域の頂点のうち、前記一方の対角線が通る頂点とを通る矩形（他方側矩形）内にアスペクト比を変えない範囲内で入ることができる最大の大きさである。
【００５４】
そして、仮想的な直線が、基準方向および基準方向に垂直な方向を座標軸とする２次元座標系の座標軸に平行に延びる場合、仮想的な直線によって２分割される第２分割表示領域の一方（または他方）に表示される画像は、一方（または他方）側矩形と同一の形状で、かつ、仮想的な直線の延びる方向において、その中心が第２分割表示領域の中心と一致する矩形の中心と、画像の中心とが一致するように表示される。
【００５５】
このような第２の分割表示機能について、図４、図７Ａ、および図７Ｂを用いて、より詳細に説明する。たとえば、スライド操作が行われる前に、図４（ｂ）のように画像Ｇ２，Ｇ３が表示されていたとする。図４（ｂ）の状態において、図７Ａ（ａ）に示すように、画像Ｇ２上でスライド操作Ｋ１が行われた場合、第２画像表示制御部１３３は、そのスライド操作Ｋ１の始点Ｐ１および終点Ｐ２を通る仮想的な直線Ｌ１を、画像Ｇ２が表示されている矩形状の領域である第２分割表示領域Ｑ１を２分割するための仮想的な直線に設定し、その仮想的な直線Ｌ１と第２分割表示領域Ｑ１の対角線Ｌ２との交点Ｐ３を算出する。そして、第２画像表示制御部１３３は、図７Ａ（ｂ）に示すように、仮想的な直線Ｌ１で２分割された第２分割表示領域Ｑ１の一方領域Ｑ１１において、交点Ｐ３と対角線Ｌ２を通る頂点Ｐ４とを通る一方側内接矩形Ｒ１を設定し、その一方側内接矩形Ｒ１内に画像Ｇ２０を表示させる。また、第２画像表示制御部１３３は、図７Ａ（ｂ）に示すように、仮想的な直線Ｌ１で２分割された第２分割表示領域Ｑ１の他方領域Ｑ１２において、交点Ｐ３と対角線Ｌ２を通る頂点Ｐ５とを通る他方側内接矩形Ｒ２を設定し、その他方側内接矩形Ｒ２内に画像Ｇ２１を表示させる。
【００５６】
また、たとえば、スライド操作が行われる前に、図４（ｂ）のように画像Ｇ２，Ｇ３が表示されていたとする。図４（ｂ）の状態において、図７Ｂ（ｃ）に示すように、画像Ｇ２上でスライド操作Ｋ２が行われた場合、第２画像表示制御部１３３は、そのスライド操作Ｋ２の始点Ｐ６および終点Ｐ７を通る線分の中点Ｐ８を通り、基準方向Ｔ０に平行な仮想的な直線Ｌ３を、画像Ｇ２が表示されている矩形状の領域である第２分割表示領域Ｑ２を２分割するための仮想的な直線に設定し、その仮想的な直線Ｌ３と第２分割表示領域Ｑ１の対角線Ｌ４との交点Ｐ９を算出する。そして、第２画像表示制御部１３３は、図７Ｂ（ｄ）に示すように、仮想的な直線Ｌ３で２分割された第２分割表示領域Ｑ２の一方領域Ｑ２１において、交点Ｐ９と対角線Ｌ４を通る頂点Ｐ１０とを通る一方側矩形Ｒ３を設定し、その一方側矩形Ｒ３と同一形状の矩形Ｒ４であって、仮想的な直線Ｌ３の延びる方向において矩形Ｒ４の中心が第２分割表示領域Ｑ２の中心と一致する矩形Ｒ４を設定し、その矩形Ｒ４内に画像Ｇ２２を表示させる。また、第２画像表示制御部１３３は、図７Ｂ（ｄ）に示すように、仮想的な直線Ｌ３で２分割された第２分割表示領域Ｑ２の他方領域Ｑ２２において、交点Ｐ９と対角線Ｌ４を通る頂点Ｐ１１とを通る他方側矩形Ｒ５を設定し、その他方側矩形Ｒ５と同一形状の矩形Ｒ６であって、仮想的な直線Ｌ３の延びる方向において矩形Ｒ６の中心が第２分割表示領域Ｑ２の中心と一致する矩形Ｒ６を設定し、その矩形Ｒ６内に画像Ｇ２３を表示させる。
【００５７】
第２画像表示制御部１３３は、第２の分割表示機能によって表示画面１１１に画像を表示させている場合において、その画像の端部に対するタッチ操作がタッチパネル部１２によって検出されたときに、その画像を消去させ、第１の分割表示機能によって画像を表示させる。より具体的には、第２画像表示制御部１３３は、第２の分割表示機能によって表示画面１１１中の１つの第２分割表示領域に２つの画像を表示させている場合において、２つの画像のうちの一方の画像の辺であって、他方の画像の辺に最も近接する辺に対するタッチ操作、または、２つの画像のうちの他方の画像の辺であって、一方の画像の辺に最も近接する辺に対するタッチ操作がタッチパネル部１２によって検出されたときに、その２つの画像を消去させ、第１の分割表示機能によってその第２分割表示領域に画像を表示させ、第２分割表示領域の設定を解除する。
【００５８】
第２画像表示制御部１３３による、第２の分割表示機能で表示されていた画像の消去について、図４、図７Ａ、および図７Ｂを用いて、より詳細に説明する。たとえば、タッチ操作が行われる前に、図７Ａ（ｂ）のように、第２の分割表示機能によって画像Ｇ２０，Ｇ２１が表示されていたとする。図７Ａ（ｂ）の状態において、画像Ｇ２０の辺ｈ１または辺ｈ２、もしくは、画像Ｇ２１の辺ｈ３または辺ｈ４に対するタッチ操作が行われた場合、第２画像表示制御部１３３によって、図４（ｂ）に示す状態となる。図４（ｂ）では、第２の分割表示機能によって表示されていた画像Ｇ２０，Ｇ２１が消去され、第１の分割表示機能によって、画像Ｇ２が表示されている。
【００５９】
また、たとえば、タッチ操作が行われる前に、図７Ｂ（ｄ）のように、第２の分割表示機能によって画像Ｇ２２，Ｇ２３が表示されていたとする。図７Ｂ（ｄ）の状態において、画像Ｇ２２の辺ｈ５、または、画像Ｇ２３の辺ｈ６に対するタッチ操作が行われた場合、第２画像表示制御部１３３によって、図４（ｂ）に示す状態となる。図４（ｂ）では、第２の分割表示機能によって表示されていた画像Ｇ２２，Ｇ２３が消去され、第１の分割表示機能によって、画像Ｇ２が表示されている。
【００６０】
第２の分割表示機能で表示されている画像の消去を行うためのタッチ操作は、人の指によるタッチ操作であってもよいし、タッチペンによるタッチ操作であってもよいけれども、表示システム１用の黒板消しによるタッチ操作であることが好ましい。第２画像表示制御部１３３は、タッチされた箇所の面積が所定の閾値よりも大きい場合に、黒板消しによるタッチ操作であると判断する。第２画像表示制御部１３３は、たとえば、黒板消しによる、第２の分割表示機能で表示されている画像の辺の上をスライド移動するタッチ操作、または、第２の分割表示機能で表示されている画像の辺の上を長押しするタッチ操作が行われた場合に、第２の分割表示機能で表示されている画像の消去を行う。
【００６１】
このように構成される表示システム１の動作を、図８〜図１１のフローチャートで示す。図８は、第１画像表示制御部１３１によって画像が表示されている場合に対応し、図９は、第２画像表示制御部１３３の第１の分割表示機能のみによって画像が表示されている場合に対応し、図１０は、第２画像表示制御部１３３の第２の分割表示機能のみによって画像が表示されている場合に対応し、図１１は、第２画像表示制御部１３３の第１の分割表示機能および第２の分割表示機能によって画像が表示されている場合に対応する。
【００６２】
図８に示すように、第１画像表示制御部１３１によって画像が表示されている場合に表示画面１１１に対するタッチ操作が行われると、ステップＡ１において、画像消去制御部１３２が、タッチ操作が行われた箇所は第２の辺部以外の辺部であるか否かを判断する。第２の辺部以外の辺部である場合にはステップＡ２へ進み、それ以外の場合には処理を終了する。
【００６３】
ステップＡ２では、画像消去制御部１３２が、第１画像表示制御部１３１によって表示されていた画像を消去し、第２画像表示制御部１３３が、第１の分割表示機能によって、第２の辺部側およびタッチ操作が行われた辺部側に画像を表示させ、その後、処理を終了する。
【００６４】
図９に示すように、第２画像表示制御部１３３の第１の分割表示機能のみによって画像が表示されている場合に表示画面１１１に対するタッチ操作が行われると、ステップＢ１において、第２画像表示制御部１３３が、タッチ操作が行われた箇所は画像が表示されていない側の辺部であるか否かを判断する。画像が表示されていない側の辺部である場合にはステップＢ２へ進み、それ以外の場合にはステップＢ３へ進む。ステップＢ２では、第２画像表示制御部１３３が、第１の分割表示機能によって、タッチ操作が行われた辺部側に画像を追加表示させ、その後、処理を終了する。
【００６５】
ステップＢ３では、第２画像表示制御部１３３が、タッチ操作が行われた箇所は第１の分割表示機能によって画像が表示されている側の辺部であるか否かを判断する。第１の分割表示機能によって画像が表示されている側の辺部である場合にはステップＢ４へ進み、それ以外の場合にはステップＢ５へ進む。ステップＢ４では、第２画像表示制御部１３３が、タッチ操作が行われた辺部側に第１の分割表示機能によって表示されている画像を消去させ、その後、処理を終了する。
【００６６】
ステップＢ５では、第２画像表示制御部１３３が、行われたタッチ操作は第１の分割表示機能によって表示されている画像上のスライド操作であるか否かを判断する。第１の分割表示機能によって表示されている画像上のスライド操作である場合にはステップＢ６へ進み、それ以外の場合には処理を終了する。ステップＢ６では、第２画像表示制御部１３３が、スライド操作が行われた画像が表示されている領域を第２分割表示領域に設定し、その画像を消去させ、第２の分割表示機能によって、その第２分割表示領域内に２つの画像を表示させ、その後、処理を終了する。
【００６７】
図１０に示すように、第２画像表示制御部１３３の第２の分割表示機能のみによって画像が表示されている場合に表示画面１１１に対するタッチ操作が行われると、ステップＣ１において、第２画像表示制御部１３３が、タッチ操作が行われた箇所は画像が表示されていない側の辺部であるか否かを判断する。画像が表示されていない側の辺部である場合にはステップＣ２へ進み、それ以外の場合にはステップＣ３へ進む。ステップＣ２では、第２画像表示制御部１３３が、第１の分割表示機能によって、タッチ操作が行われた辺部側に画像を追加表示させ、その後、処理を終了する。
【００６８】
ステップＣ３では、第２画像表示制御部１３３が、タッチ操作が行われた箇所は第２の分割表示機能によって表示されている画像の端部であるか否かを判断する。第２の分割表示機能によって表示されている画像の端部である場合にはステップＣ４へ進み、それ以外の場合には処理を終了する。ステップＣ４では、第２画像表示制御部１３３が、タッチ操作が行われた画像が表示されている第２分割表示領域に表示されているすべての画像を消去させ、その第２分割表示領域に第１の分割表示機能によって画像を表示させ、その第２分割表示領域の設定を解除し、その後、処理を終了する。
【００６９】
図１１に示すように、第２画像表示制御部１３３の第１の分割表示機能および第２の分割表示機能によって画像が表示されている場合に表示画面１１１に対するタッチ操作が行われると、ステップＤ１において、第２画像表示制御部１３３が、タッチ操作が行われた箇所は画像が表示されていない側の辺部であるか否かを判断する。画像が表示されていない側の辺部である場合にはステップＤ２へ進み、それ以外の場合にはステップＤ３へ進む。ステップＤ２では、第２画像表示制御部１３３が、第１の分割表示機能によって、タッチ操作が行われた辺部側に画像を追加表示させ、その後、処理を終了する。
【００７０】
ステップＤ３では、第２画像表示制御部１３３が、タッチ操作が行われた箇所は第１の分割表示機能によって画像が表示されている側の辺部であるか否かを判断する。第１の分割表示機能によって画像が表示されている側の辺部である場合にはステップＤ４へ進み、それ以外の場合にはステップＤ５へ進む。ステップＤ４では、第２画像表示制御部１３３が、タッチ操作が行われた辺部側に第１の分割表示機能によって表示されている画像を消去させ、その後、処理を終了する。
【００７１】
ステップＤ５では、第２画像表示制御部１３３が、行われたタッチ操作は第１の分割表示機能によって表示されている画像上のスライド操作であるか否かを判断する。第１の分割表示機能によって表示されている画像上のスライド操作である場合にはステップＤ６へ進み、それ以外の場合にはステップＤ７へ進む。ステップＤ６では、第２画像表示制御部１３３が、スライド操作が行われた画像が表示されている領域を第２分割表示領域に設定し、その画像を消去させ、第２の分割表示機能によって、その第２分割表示領域内に２つの画像を表示させ、その後、処理を終了する。
【００７２】
ステップＤ７では、第２画像表示制御部１３３が、タッチ操作が行われた箇所は第２の分割表示機能によって表示されている画像の端部であるか否かを判断する。第２の分割表示機能によって表示されている画像の端部である場合にはステップＤ８へ進み、それ以外の場合には処理を終了する。ステップＤ８では、第２画像表示制御部１３３が、タッチ操作が行われた画像が表示されている第２分割表示領域に表示されているすべての画像を消去させ、その第２分割表示領域に第１の分割表示機能によって画像を表示させ、その第２分割表示領域の設定を解除し、その後、処理を終了する。
【００７３】
以上のような表示システム１によれば、タッチ操作に基づく第２画像表示制御部１３３の制御による第１の分割表示機能によって、表示画面１１１の第２の辺部側および第２の辺部以外のいずれか１つの辺部側に、それぞれ画像が表示されるので、第２の辺部側および第２の辺部以外のいずれか１つの辺部側にそれぞれユーザが着席する場合に、すべてのユーザにとって見易いように表示画面１１１に画像を表示することができる。
【００７４】
また、表示システム１によれば、タッチ操作に基づく第２画像表示制御部１３３の制御による第１の分割表示機能によって、画像が表示されていない側の辺部側に画像を追加表示させることができるので、画像が表示されていない側の辺部側に新たに着席したユーザにとって見易いように表示画面１１１に画像を表示することができる。
【００７５】
また、表示システム１によれば、画像が表示されている側の辺部側に着席していたユーザが退席した場合に、タッチ操作に基づく第２画像表示制御部１３３の制御によって、その辺部側に表示されていた画像を消去することができる。
【００７６】
また、表示システム１によれば、第２画像表示制御部１３３の第１の分割表示機能によって画像が表示されている状態において、その画像上でスライド操作を行うことで、第２画像表示制御部１３３の第２の分割表示機能によって、その画像を消去し、その画像が表示されていた領域（第２分割表示領域）を分割し、分割された領域のそれぞれに画像を表示することができる。したがって、第１の分割表示機能と第２の分割表示機能とを組み合わせることで、様々な態様で画像を表示することができる。
【００７７】
また、表示システム１によれば、第２画像表示制御部１３３による第２の分割表示機能によって、スライド操作の始点および終点に基づく仮想的な直線により第２分割表示領域が２分割されるので、表示画面１１１の端から端までスライド操作を行わなくても、表示画面１１１を任意かつ容易に分割することができる。そして、第２画像表示制御部１３３によって、任意に分割された第２分割表示領域のそれぞれに画像を表示することができる。
【００７８】
また、表示システム１によれば、第２画像表示制御部１３３による第２の分割表示機能によって、スライド操作の始点および終点に基づく仮想的な直線と矩形状の第２分割表示領域の対角線との交点から、２分割される第２分割表示領域のそれぞれに表示される画像の大きさが決定されるので、スライド操作によって各画像の大きさを決定することができる。また、このように交点を用いて各画像の大きさを決定することで、第１の分割表示機能によって第２分割表示領域に表示されていた元の画像と相似形の画像を、第２の分割表示機能によって容易に表示することができる。
【００７９】
また、表示システム１によれば、第２の分割表示機能によって第２分割表示領域に表示されている画像の端部に対するタッチ操作を行うことで、第２分割表示領域の設定を解除し、第１の分割表示機能によって画像を表示することができる。
【００８０】
上記表示システム１の制御部１３に記憶される表示プログラムは、表示部およびタッチパネル部を備えるコンピュータを表示システム１として機能させるプログラムである。この表示プログラムは、従来公知の、コンピュータ読み取り可能な記録媒体に記録できる。
【００８１】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００８２】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【００８３】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００８４】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【００８５】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００８６】
１  表示システム
１１  表示部
１２  タッチパネル部
１３  制御部
１１１  表示画面
１３１  第１画像表示制御部
１３２  画像消去制御部
１３３  第２画像表示制御部
【図１】
2013225231.tif 000003
【図２】
2013225231.tif 000004
【図３】
2013225231.tif 000005
【図８】
2013225231.tif 000006
【図９】
2013225231.tif 000007
【図１０】
2013225231.tif 000008
【図１１】
2013225231.tif 000009
【図４】
2013225231.tif 000010
【図５】
2013225231.tif 000011
【図６】
2013225231.tif 000012
【図７Ａ】
2013225231.tif 000013
【図７Ｂ】
2013225231.tif 000014